(57)【特許請求の範囲】
【請求項１】
伝動軸（１５）が内挿された操作桿（７）の先端に歯車ケース（２０）が取り付けられ、この歯車ケース（２０）に、前記伝動軸（１５）に対して側面視では交差する方向に配置された回転軸（２６）を有する歯車機構（２５）が内蔵され、前記回転軸（２６）の下部に回転刃（１３）が前記回転軸（２６）と一体回転する受金具（３０）とその下端部の押さえ金具（４２）との間に挟まれるようにして固定され、かつ、前記歯車ケース（２０）に、前記受金具（３０）の回転を阻止するための回り止め具（５０，６０，７０）が上から挿脱自在に挿入される穴ないし切欠部等の挿通部（２１）が形成されるとともに、前記受金具（３０）に前記回り止め具（５０，６０，７０）の一方端の先端部（５１ａ，６１ａ，７１ａ）によってその回転が阻止されるように穴、溝、凸部、凹部、切欠部等の係止部（３５）が設けられ、前記歯車ケース（２０）を逆さにしたとき、前記回り止め具（５０）が脱落しないように、該回り止め具（５０）自体に脱落防止手段（５１，５２，６１，６３，７３）が講じられている携帯型作業機であって、
前記回り止め具（５０，６０，７０）の一方端の先端部（５１ａ，６１ａ，７１ａ）が前記係止部（３５）に挿入され、他方端がそれ自体の弾性により脱落防止片部（５２，６３，７１）として固定側部材（２２，７，２０）に圧接して、前記回り止め具（５０，６０，７０）の脱落を防止することを特徴とする回転刃を備えた携帯型作業機。
【請求項２】
前記回り止め具は、前記受金具（３０）の前記係止部（３５）に当接してその回転を阻止する回転阻止片部（５１）と、前記歯車ケース（２０）に設けられた筒状部等の受止部（２２）に弾発的に圧接せしめられて係止される脱落防止片部（５２）と、からなる概略Ｕ字状の弾性棒状部材（５０）で構成されていることを特徴とする請求項１に記載の回転刃を備えた携帯型作業機。
【請求項３】
前記回り止め具は、前記受金具（３０）の前記係止部（３５）に当接してその回転を阻止する回転阻止片部（６１）と、この回転阻止片部（６１）から前記操作桿（７）に沿うように伸びる中間片部（６２）と、この中間片部（６２）から折り曲がって前記操作桿（７）の下面側に当接ないし圧接して掛止される概略Ｌ字状ないしく字状の脱落防止片部（６３）と、からなる棒状部材（６０）で構成されていることを特徴とする請求項１に記載の回転刃を備えた携帯型作業機。
【請求項４】
前記回り止め具は、前記受金具（３０）の前記係止部（３５）に当接してその回転を阻止する回転阻止片部（７１）と、前記歯車ケース（２０）の外面に圧接せしめられる弾性部材（７３）を取着した脱落防止片部（７２）と、からなる概略Ｕ字状の棒状部材（７０）で構成されていることを特徴とする請求項１記載の回転刃を備えた携帯型作業機。
【発明の詳細な説明】
【０００１】
【発明の属する技術分野】
本発明は、刈払機や枝打機等の回転刃を備えた携帯型作業機に係り、より詳細には、前記回転刃の付け替え時等において、前記回転刃が回転しないように止めておくための回り止め具を備えた携帯型作業機に関する。
【０００２】
【従来の技術】
一般に、刈払機や枝打機等の回転刃を備えた携帯型作業機は、伝動軸が内挿された操作桿の先端に歯車ケースが取り付けられ、この歯車ケースに、前記伝動軸に対して側面視では交差する方向に配置された回転軸を有する一対の傘歯車等からなる歯車機構が内蔵され、前記回転軸の下部に刈刃等の丸鋸状の回転刃が前記回転軸と一体回転する受金具と前記回転軸の下端部に螺合せしめられたナット部材との間に挟まれるようにして固定されている。
【０００３】
このような携帯型作業機においては、前記回転刃の付け替え時等においては、前記ナット部材を弛めて外すとともに再び螺合させて締め付ける、ナット弛締作業を行う必要があり、このナット弛締作業を行う際に、前記回転軸や回転刃等が連れ回されると該弛締作業が行えないので、前記回転刃等が回転しないように止めておくための回り止め手段が必要とされる。
【０００４】
そのため、従来においては、前記回り止め手段を前記歯車ケース等に一体に組み込んだもの（例えば、実用新案登録第２５２７４９９号公報等を参照）が知られているが、このように、回り止め手段を歯車ケース等に一体に組み込むと、その分、前記歯車ケースや回転刃からなる作業部（刈刃作業部、枝打作業部）が重くなるとともに、その回り止め手段が刈払い等の作業中に周辺の雑草等に引っ掛かって作業性を損なう等の問題があり、さらに、回り止め手段が振動、衝撃を受けやすい作業部に一体に設けられていることから、故障等を生じやすく、信頼性の点でも問題がある。
【０００５】
そこで、回り止め手段として、単純な棒（回り止め棒）を用意し、前記歯車ケースに、前記回り止め棒が横又は上から挿脱自在に挿入される挿通穴等を形成するとともに、前記受金具に前記回り止め棒の先端部によってその回転が阻止されるように係止穴等を設け、通常の刈払作業等を行う際には、前記回り止め棒を前記作業部から外しておき、回転刃の交換時等の、前記ナット弛締作業が必要とされるときには、前記回り止め棒を前記挿通穴等を介して前記係止穴等に挿入して、前記回転刃や受金具等を前記歯車ケースに対して固定し、この固定状態で、前記作業部全体を前記ナット部材が上側となるように逆さにして、前記ナット弛締作業を行うようになすことが考えられている。
なお、前記のように作業部全体を逆さにするのは、ナット弛締作業を行いやすくして、刈刃等の回転刃を回転軸や受金具に迅速かつ確実にセットするためである。
【０００６】
【発明が解決しようとする課題】
しかしながら、前記のように、回り止め棒を横から歯車ケースに挿入するようにした場合には、特に歯車ケース等の小型化を図ったものでは、前記回り止め棒をセットし難く、また、ナット弛締作業時に前記回り止め棒が前記係止穴等から抜けやすいといった問題がある。
それに対し、前記回り止め棒を上から歯車ケースに挿入するようにした場合には、前記のような問題は生じ難くなる反面、前記のように作業部全体を逆さにすると、前記回り止め棒が脱落してしまうので、この回り止め棒を手で支えておく必要があり、この点でナット弛締作業の作業性、安全性が低下するという問題がある。
【０００７】
そこで、本発明の出願人は、先に、特願平８−３２１７９５号において、前記回り止め棒が脱落しないように、該回り止め棒を捩じりバネ等の付勢手段により前記歯車ケースにおける挿通穴の内面に圧接させるように付勢し、前記回り止め棒と前記挿通穴内面との摩擦力により、前記回り止め棒の脱落を防止するようになすことを提案した。
しかし、かかる提案のものでは、歯車ケース等からなる作業部に別途にバネ等の付勢手段を取り付けておく必要があり、このため、通常の刈払い等の作業時に前記バネ等の付勢手段が周辺の雑草等に引っ掛かって作業性を損なうという問題があった。
【０００８】
本発明は、前記のような従来の問題に鑑みてなされたものであって、その目的とするところは、作業部に別途に付勢手段等を設けることを要しないで、作業部全体を逆さにしても回り止め手段が脱落することがないようにでき、もって、ナット弛締作業の作業性、安全性を向上させ得るとともに、刈刃等の回転刃を回転軸や受金具に迅速かつ確実にセットでき、さらに、刈払作業等の通常の作業性も損なわず、しかも、信頼性を向上させることができるようにされた、回転刃を備えた携帯型作業機を提供することにある。
【０００９】
【課題を解決するための手段】
前記の目的を達成すべく、本発明に係る回転刃を備えた携帯型作業機は、基本的には、伝動軸が内挿された操作桿の先端に歯車ケースが取り付けられ、この歯車ケースに、前記伝動軸に対して側面視では交差する方向に配置された回転軸を有する歯車機構が内蔵され、前記回転軸の下部に回転刃が前記回転軸と一体回転する受金具とその下端部の押さえ金具との間に挟まれるようにして固定され、かつ、前記歯車ケースに、前記受金具の回転を阻止するための回り止め具が上から挿脱自在に挿入される穴ないし切欠部等の挿通部が形成されるとともに、前記受金具に前記回り止め具の一方端の先端部によってその回転が阻止されるように穴、溝、凸部、凹部、切欠部等の係止部が設けられ、前記歯車ケースを逆さにしたとき、前記回り止め具が脱落しないように、該回り止め具自体に脱落防止手段が講じられている携帯型作業機であって、前記回り止め具の一方端の先端部が前記係止部に挿入され、他方端がそれ自体の弾性により脱落防止片部として固定側部材に圧接して、前記回り止め具の脱落を防止することを特徴としている。
【００１０】
好ましい具体的な一態様として、前記回り止め具は、前記受金具の前記係止部に当接してその回転を阻止する回転阻止片部と、前記歯車ケースに設けられた筒状部等の受止部に弾発的に圧接せしめられて係止される脱落防止片部と、からなる概略Ｕ字状の弾性部棒状材で構成されているものが挙げられる。
【００１１】
このような構成とされた本発明に係る携帯型作業機の好ましい一態様においては、通常の刈払作業等を行う際には、前記回り止め具を前記歯車ケースや回転刃等からなる作業部から外しておき、回転刃の交換時等のナット弛締作業が必要とされるときには、作業部を通常の作業姿勢のまま、つまり、歯車ケースを上側にした状態で、前記概略Ｕ字状の回り止め具を、例えば、自然状態からその両片自由端側を相互に閉じ寄せるようにして、その回転阻止片部の先端部を上から前記歯車ケースに形成された挿通部を介して前記受金具に形成された係止部に挿入するとともに、その脱落防止片部を上から前記歯車ケースに設けられた筒状部等の受止部に挿入し、その後、該回り止め具を手から解放する。
【００１２】
これにより、前記概略Ｕ字状の回り止め具自体が持つ、両片を開く方向の弾性力により、前記脱落防止片部が前記受止部の内面に圧接するとともに、前記回転阻止片部も、その先端が前記係止部に挿入されている状態で前記挿通部の内面に圧接する。
したがって、ナット弛締作業を行うべく、前記作業部全体を逆さにしても、前記回り止め具は、前記両片部と前記受止部及び挿通部の内面との摩擦力により、前記歯車ケースに実質的に係合固定され、該歯車ケースから抜け落ちることはない。
【００１３】
このため、ナット弛締作業時に、回り止め具を手で支えておく必要がなくなる結果、ナット弛締作業の作業性、安全性が向上するとともに、刈刃等の回転刃を回転軸や受金具に迅速かつ確実にセットでき、また、作業部に別途に付勢手段等を設けることを要しないので、刈払作業等の通常の作業性も損なわず、信頼性も向上する。
【００１４】
一方、本発明に係る携帯型作業機の好ましい具体的な他の態様として、前記回り止め具が、前記受金具の前記係止部に当接してその回転を阻止する回転阻止片部と、この回転阻止片部から前記操作桿に沿うように伸びる中間片部と、この中間片部から折り曲がって前記操作桿の下面側に当接ないし圧接して掛止される概略Ｌ字ないしく字状の脱落防止片部と、からなる棒状部材で構成されているものが挙げられる。
かかる態様でも、通常の刈払作業等を行う際には、前記回り止め具を前記歯車ケースや回転刃等からなる作業部から外しておき、回転刃の交換時等のナット弛締作業が必要とされるときには、前記回り止め具の回転阻止片部の先端部を上から前記歯車ケースに形成された挿通部を介して前記受金具に形成された係止部に挿入する。
【００１５】
この場合、前記回転阻止片部を前記係止片部に挿入する際には、前記脱落防止片部が前記操作桿に当接しないように、前記脱落防止片部及び前記中間部を前記操作桿の真上からは外れた位置にしておき、前記回転阻止片部を前記係止部に挿入した後、前記回転阻止片部を回転軸線として、前記中間部及び前記脱落防止片部を前記操作桿側に回転させるとともに、必要に応じて前記脱落防止片部を若干下方に押し下げるようにして、前記操作桿の下面側に当接ないし圧接させる。
【００１６】
これにより、ナット弛締作業を行うべく、前記作業部全体を逆さにしても、前記回り止め具は、前記脱落防止片部が前記操作桿に掛止されているので、前記歯車ケースから抜け落ちることはなく、前記した実施の態様と同様な作用効果が得られる。
なお、更に他の態様として、前記した実施の態様と同様の構成において、前記筒状部等の受止部に代えて、前記脱落防止片部（７２）に弾性部材を取着することによっても、同様な作用効果が得られる。
【００１７】
【実施の形態】
以下、本発明の実施の形態を図面を参照しながら説明する。
図１は本発明に係る携帯型作業機としての刈払機の一実施形態を示し、図２は該刈払機の要部（作業部）を拡大して示している。
図示実施形態の刈払機１は、所定間隔をあけてグリップ部１１，１２が前後に並設された筒状の操作桿７の先端側に、回転刃としての鋸刃状の刈刃１３や安全カバー１４等からなる作業部３が設けられ、後端側には、前記刈刃１３を前記操作桿７に内挿された伝動軸１５や前記操作桿７の先端部に取り付けられた歯車ケース２０に内蔵された歯車機構（後述）を介して駆動する動力源としての、リコイルスターター６や燃料タンク４が付設された内燃機関（小型空冷２サイクルガソリンエンジン）２が配備されており、この内燃機関２にスロットル弁ＣＶを有する気化器や点火プラグ５が備えられている。また、前記グリップ部１１，１２のうちの、通常は右手で握る後側のグリップ部１１近傍に、前記スロットル弁ＣＶの開度を調整すべく、スロットルレバー装置１０が取り付けられている。
【００１８】
前記伝動軸１５が内挿された前記操作桿７の先端には、図３、図４を参照すればよくわかるように、円筒部２０ａとスカート部２０ｂを有する歯車ケース２０が取り付けられ、この歯車ケース２０に、前記伝動軸１５に対して側面視（図４）では交差する方向（ここでは交差角度が４０〜５０度）に配置された回転軸２６を有する歯車機構２５が内蔵されている。前記回転軸２６の上端部と中央大径部とは、ベアリング２８、２９を介して前記歯車ケース２０に軸支され、前記回転軸２６の上部には、前記伝動軸１５の先端部に螺合せしめられた駆動側傘歯車１７に噛合する従動側傘歯車２７がスプライン嵌合されている。
また、前記回転軸２６の下部には、該回転軸２６と一体回転するように受金具３０がスプライン嵌合されている。この受金具３０の上面側には、その中央に前記ベアリング２９に当接するボス部３１が設けられ、その外周部に環状凸部３３が突設されている。
【００１９】
前記受金具３０の下面側に配置された円環状プレート３９と、前記回転軸２６の下端部に螺合せしめられたナット部材４０及び座金４１の上面側に配置された押さえ金具４２と、の間に挟まれるようにして、前記刈刃１３が固定されている。
本実施形態においては、回り止め手段として、図６に示される如くの、回転阻止片部５１とこれより若干短い脱落防止片部５２とからなる、手指で押して弾性変形せしめられる金属棒材を折曲して製作された概略下向きＵ字状の回り止め具５０が備えられている。
【００２０】
また、前記歯車ケース２０に、前記概略Ｕ字状の回り止め具５０の前記回転防止片部５１が上から挿脱自在に挿入される筒状の挿通穴部２１が形成されるとともに、前記回り止め具５０の前記脱落防止片部５２が挿入される筒状の受止穴部２２が形成されている。これら挿通穴部２１と受止穴部２２とは、前記歯車ケース２０における前記操作桿７寄りの部位で該操作桿７の中心線を挟むように前記筒状部２０ａ及び前記スカート部ｂの左右にそれぞれ一体成形されている。この挿通穴部２１と受止穴部２２との離隔距離は、前記回り止め具５０が自然状態にあるときにおけるその両片５１、５２の先端部間の離隔より若手短くなっている。なお、前記挿通穴部２１と前記受止穴部２２とは、別途パイプ状のものを前記歯車ケース２０に螺着すること等により設けてもよい。
【００２１】
また、前記受金具３０の前記環状凸部３３には、前記回転阻止片部５１の先端部５１ａによってその回転が阻止されるように、切欠溝状係止部３５が設けられている。この切欠溝状係止部３５は、図５を参照すればよくわかるように、前記環状凸部３３の周方向に所定角度間隔（ここでは４５度）をもって計８個設けられており、該各切欠溝状係止部３５は、前記回転阻止片部５１の前記先端部５１ａが遊嵌される大きさとなっている。
【００２２】
このような構成とされた本実施形態の携帯型作業機１においては、通常の刈払作業等を行う際には、前記概略Ｕ字状の回り止め具５０を前記歯車ケース２０や刈刃１３等からなる作業部３から外しておき、刈刃１３の交換時等のナット弛締作業が必要とされるときには、まず、作業部３０を通常の作業姿勢のまま、つまり、歯車ケース２０を上側にした状態で、前記概略Ｕ字状の回り止め具５０を手でつまんで、図６において仮想線で示される如くに、自然状態からその両片部５１、５２の自由端側を相互に閉じ寄せるようにして、その回転阻止片部５１の先端部５１ａを上から前記歯車ケース２０に形成された挿通穴部２１を介して前記受金具３０に形成された切欠溝状係止部３５に挿入するとともに、その脱落防止片部５２を上から前記歯車ケース２０に設けられた受止穴部２２に挿入し、その後、該回り止め具５０を手から解放する。
【００２３】
これにより、前記概略Ｕ字状の回り止め具５０自体が持つ、両片部５１、５２を開く方向の弾性力により、前記脱落防止片部５２が前記受止穴部２２の内面２２ａに圧接するとともに、前記回転阻止片部５１も、その先端部５１ａが前記切欠溝状係止部３５に挿入されている状態で前記挿通穴部２１ａの内面に圧接する（図６の実線で示される状態）。
したがって、ナット弛締作業を行うべく、前記作業部３全体を逆さにしても、前記回り止め具５０は、前記両片部５１、５２と前記受止穴部２２及び挿通穴部２１の内面２２ａ、２１ａとの摩擦力により、前記歯車ケース２０に実質的に係合固定され、該歯車ケース２０から抜け落ちることはない。
【００２４】
このため、ナット弛締作業時に、回り止め具５０を手で支えておく必要がなくなる結果、ナット弛締作業の作業性、安全性が向上するとともに、刈刃１３を回転軸２６や受金具３０に迅速かつ確実にセットでき、また、作業部３に別途に付勢手段等を設けることを要しないので、刈払作業等の通常の作業性も損なわず、信頼性も向上する。
図７〜図１１は、本発明に係る携帯型作業機の他の実施形態の作業部を示している。図示実施形態の携帯型作業機は、回り止め手段が異なるだけで、他の各部の構成は前記した図１〜図６に示される実施形態と略同様であるので、以下においては、相違点のみを説明する。
【００２５】
本実施形態では、前記回り止め手段として、概略クランク形状の回り止め具６０が備えられている。この回り止め具６０は、前記受金具３０の前記切欠溝状係止部３５に当接してその回転を阻止する回転阻止片部６１と、この回転阻止片部６１から前記操作桿７に沿うように伸びる直線状の中間片部６２と、この中間片部６２から折り曲がって前記操作桿７の下面側に当接ないし圧接して掛止される概略Ｌ字ないしく字状の脱落防止片部６３と、からなっている。該脱落防止片部６３には、前記操作桿７との係止性を高めるため、ゴムやビニール等の柔軟弾性材料からなる筒状の被覆部材６５が外嵌被着されている。
【００２６】
かかる実施形態でも、通常の刈払作業等を行う際には、前記回り止め具６０を前記歯車ケース２０や刈刃１３等からなる作業部３から外しておき、刈刃１３の交換時等のナット弛締作業が必要とされるときには、前記回り止め具６０の回転阻止片部６１の先端部６１ａを上から前記歯車ケース２０に形成された挿通穴部２１を介して前記受金具３０に形成された切欠溝状係止部３５に挿入する。
【００２７】
この場合、前記回転阻止片部６１を前記切欠溝状係止部３５に挿入する際には、前記脱落防止片部６３が前記操作桿７に当接しないように、前記脱落防止片部６３及び中間部６２を前記操作桿７の真上からは右側へ外れた位置にしておき（図７、図１１の仮想線位置）、前記回転阻止片部６１を前記切欠溝状係止部３５に挿入した後、図７、図１１において実線で示される如くに、前記回転阻止片部６１を回転軸線として、前記中間部６２及び前記脱落防止片部６３を前記操作桿７側、すなわち、刈刃１３の作業時回転方向（図７及び図８の矢印）と反対方向に回転させるとともに、必要に応じて前記脱落防止片部６３を若干下方に押し下げるようにして、前記脱落防止片部６３を前記操作桿の右側下面側に当接ないし圧接させる。（図８に示される状態となる）。
【００２８】
これにより、ナット弛締作業を行うべく、前記作業部３全体を逆さにしても、前記回り止め具６０は、前記脱落防止片部６３が前記操作桿７に係合して掛止されているので、手で支えておかなくても前記歯車ケース２０から抜け落ちることはなく、特に大きな力が加えられるナット弛め時にはより強固に保持され、前記した実施形態と略同様な作用効果が得られる。
【００２９】
なお、図１２に示す如く、第１図乃至第６図に示した実施態様と同様の構成において、回り止め具７０の脱落防止片部７１に、ゴムやビニール等の柔軟弾性材料からなるパイプ７３を嵌着しておけば、歯車ケース２０に受止部２２を設けなくても、前記パイプ７３が前記歯車ケース２０の外面との圧接保持により、脱落防止ができる。
また、前記各実施態様において、回転刃とナット部材の代りにナイロンコード式切断装置を、回転軸の下方に螺合せしめても、同様の作用・効果を奏することは、いうまでもない。
【００３０】
【発明の効果】
以上の説明から理解されるように、本発明に係る携帯型作業機によれば、回り止め具を手で支えておく必要がなくなるので、ナット弛締作業の作業性、安全性が向上するとともに、刈刃等の回転刃を回転軸や受金具に迅速かつ確実にセットでき、また、作業部に別途に付勢手段等を設けることを要しないので、刈払作業等の通常の作業性も損なわず、信頼性も向上するという効果が得られる。
【図面の簡単な説明】
【図１】本発明に係る携帯型作業機の一実施形態を示す斜視図。
【図２】図１に示される携帯型作業機の要部（作業部）を示す拡大平面図。
【図３】図１に示される携帯型作業機の要部（作業部）を示す拡大斜視図。
【図４】図１に示される携帯型作業機の要部（作業部）を示す拡大断面図。
【図５】図４のＶ−Ｖ矢視線に従う拡大断面図。
【図６】図１に示される携帯型作業機に備えられる回り止め具の説明に供される断面図。
【図７】他の実施形態の要部（作業部）を示す平面図。
【図８】他の実施形態の要部（作業部）を示す斜視図。
【図９】他の実施形態の要部（作業部）を示す拡大断面図。
【図１０】図９のＸ−Ｘ矢視線に従う断面図。
【図１１】他の実施形態に備えられる回り止め具の作用効果の説明に供される断面図。
【図１２】更に他の実施形態を示す、図３に対応する拡大斜視図。
【符号の説明】
１    携帯型作業機（刈払機）
７    操作桿
１３  刈刃（回転刃）
１５  伝動軸
２０  歯車ケース
２１  挿通穴部
２２  受止穴部
２５  歯車機構
２６  回転軸
３０  受金具
３５  切欠溝状係止部
４０  ナット部材
５０  回り止め具（弾性棒状部材）
５１ａ先端部
５１  回転阻止片部
５２  脱落防止片部
６０  回り止め具（棒状部材）
６１  回転阻止片部
６２  中間部
６３  脱落防止片部
７０  回り止め具（棒状部材）
７１  回転阻止片部
７１ａ先端部
７２  脱落防止片部
７３  ビニールパイプ（弾性部材）
【図１】
0003563262.tif 000002
【図２】
0003563262.tif 000003
【図３】
0003563262.tif 000004
【図４】
0003563262.tif 000005
【図５】
0003563262.tif 000006
【図６】
0003563262.tif 000007
【図７】
0003563262.tif 000008
【図８】
0003563262.tif 000009
【図９】
0003563262.tif 000010
【図１０】
0003563262.tif 000011
【図１１】
0003563262.tif 000012
【図１２】
0003563262.tif 000013